(57)【要約】【課題】外観を損なうことなく、くず入れ袋を収容可能であると共に持ち運び容易なくず入れを提供する。【解決手段】くず入れ１は、くず入れ袋を拡開して収容可能なくず入れ本体１０と、くず入れ本体１０上部に覆設される蓋体２０と、を有する。くず入れ本体１０は、上方が開口し、筒状の周壁１５と下方に形成された底壁１８とからなり、周壁１５上部には、１個の取っ手１７が形成され、蓋体２０は、中央が開口した上板２１と、くず入れ本体１０に挿着される筒状の側板２５とからなり、側板２５は取っ手１７が突出可能な孔部２７を有し、くず入れ袋の周壁１５外面への折り返し部が周壁１５上部の外周面と側板２５の内周面とで挟持可能である。【選択図】図２
2020203769.tif 000002
【特許請求の範囲】
【請求項１】
くず入れ袋を拡開して収容可能なくず入れ本体と、該くず入れ本体上部に覆設される蓋体と、を有するくず入れであって、
前記くず入れ本体は、上方が開口し、筒状の周壁と下方に形成された底壁とからなり、上端周縁又は該周壁上部には、少なくとも１個の取っ手が形成され、
前記蓋体は、中央が開口した上板と、前記くず入れ本体に挿着される筒状の側板とからなり、前記取っ手が外方に突出可能な孔部を有し、
前記くず入れ袋の前記周壁外面への折り返し部が前記周壁上部の外周面と前記側板の内周面とで挟持可能であることを特徴とするくず入れ。
【請求項２】
前記くず入れ袋は、上部に係止部を備え、該係止部を前記取っ手に掛け止め可能な請求項１に記載のくず入れ。
【請求項３】
前記くず入れ本体及び／又は前記蓋体は、合成樹脂により一体に形成されている請求項１又は２に記載のくず入れ。
【請求項４】
前記合成樹脂は、ポリプロピレン樹脂である請求項３に記載のくず入れ。
【請求項５】
くず入れ袋を拡開して収容可能なくず入れ本体と、該くず入れ本体上部に覆設される蓋体と、からなるくず入れであって、
前記くず入れ本体は、上方が開口し、円筒状の周壁と下方に形成された底壁とからなり、該周壁上部には、１個の取っ手が略水平方向に突出形成され、
前記蓋体は、中央が開口した上板と、前記くず入れ本体に挿着される円筒状の側板とからなり、前記取っ手が外方に突出可能な１個の孔部を有し、
前記くず入れ本体及び前記蓋体は、ポリプロピレン樹脂により一体に形成され、
前記くず入れ袋は、上部に係止部を備え、該係止部を前記取っ手に掛け止め可能であり、前記くず入れ袋の前記周壁外面への折り返し部が前記周壁上部の外周面と前記側板の内周面とで挟持可能であるくず入れ。
【発明の詳細な説明】
【技術分野】
【０００１】
本発明は、くず入れに関する。更に詳しくは、外観を損なうことなく、くず入れ袋を収容可能であると共に持ち運び容易なくず入れに関する。
【背景技術】
【０００２】
従来、くず入れは、その本体の内部の汚れを防ぐために、買い物袋等のくずいれ袋を収容して使用することが多い。
くず入れ袋をくず入れに収容するには、くず入れ袋が内部に脱落しないように、くず入れ袋の上部をくず入れの上部に外面へ折り返して装着するのが通常である。
ここで、くず入れ袋をくず入れに固定する手段が提案されている（例えば、特許文献１参照。）。この特許文献１に記載のくず入れは、くず入れの上部にくず入れを固定するための突起又は差込み隙間を設けることによって、くず入れ袋を確実に収容することができる。
【先行技術文献】
【特許文献】
【０００３】
【特許文献１】特許第６３５５８６８公報
【発明の概要】
【発明が解決しようとする課題】
【０００４】
しかし、特許文献１に記載の突起、差込み隙間は、くず入れの容器外部に設けられているため、くず入れ袋が外観上見えてしまう。
本発明は、前記の課題を解決するものであり、外観を損なうことなく、くず入れ袋を収容可能であると共に持ち運び容易なくず入れを提供することを目的とする。
【課題を解決するための手段】
【０００５】
前記課題を解決するための本発明は、以下の通りである。
１．くず入れ袋を拡開して収容可能なくず入れ本体と、該くず入れ本体上部に覆設される蓋体と、を有するくず入れであって、
前記くず入れ本体は、上方が開口し、筒状の周壁と下方に形成された底壁とからなり、上端周縁又は該周壁上部には、少なくとも１個の取っ手が形成され、
前記蓋体は、中央が開口した上板と、前記くず入れ本体に挿着される筒状の側板とからなり、該側板は前記取っ手が突出可能な孔部を有し、
前記くず入れ袋の前記周壁外面への折り返し部が前記周壁上部の外周面と前記側板の内周面とで挟持可能であることを特徴とするくず入れ。
２．前記くず入れ袋は、上部に係止部を備え、該係止部を前記取っ手に掛け止め可能な１．に記載のくず入れ。
３．前記くず入れ本体及び／又は前記蓋体は、合成樹脂により一体に形成されている１．又は２．に記載のくず入れ。
４．前記合成樹脂は、ポリプロピレン樹脂である３．に記載のくず入れ。
５．くず入れ袋を拡開して収容可能なくず入れ本体と、該くず入れ本体上部に覆設される蓋体と、からなるくず入れであって、
前記くず入れ本体は、上端が開口し、円筒状の周壁と下端に形成された底壁とからなり、該周壁上部には、１個の取っ手が略水平方向に突出形成され、
前記蓋体は、中央が開口した上板と、前記くず入れ本体に挿着される円筒状の側板とからなり、該側板は前記取っ手が突出可能な１個の孔部を有し、
前記くず入れ本体及び前記蓋体は、ポリプロピレン樹脂により一体に形成され、
前記くず入れ袋は、上部に係止部を備え、該係止部を前記取っ手に掛け止め可能であり、前記くず入れ袋の前記周壁外面への折り返し部が前記周壁上部の外周面と前記側板の内周面とで挟持可能であるくず入れ。
【発明の効果】
【０００６】
１．本発明のくず入れは、くず入れ本体の上端周縁又は周壁上部には、少なくとも１個の取っ手が形成されているため、持ち運び容易である。また、取っ手はくず入れ本体に形成されているため、持ち運びに際して蓋体が脱落することがない。
更に、蓋体は、中央が開口した上板と、くず入れ本体に挿着される筒状の側板とからなり、側板は前記取っ手が突出可能な孔部を有しているため、取り付けたくず入れ袋が隠され、くず入れの外観が損なわれることがない。
そして、くず入れ袋の周壁外面への折り返し部が周壁上部の外周面と側板の内周面とで挟持可能であるため、くず入れ袋を確実に挟持することができる。
２．くず入れ袋が、上部に係止部を備え、その係止部を取っ手に掛け止め可能であれば、更に確実に、くず入れ袋をくず入れに固定できる。
３．くず入れ本体及び／又は蓋体は、合成樹脂により一体に形成されている場合には、、射出成型等により一体に形成することができる。
４．合成樹脂が、ポリプロピレン樹脂である場合には、成型しやすく、強度に優れ、適度な硬度を得られるため、極めて適切な素材となる。
５．前記すべての構成を備えてる場合には、前記すべての効果が得られる。
【図面の簡単な説明】
【０００７】
【図１】実施形態１のくず入れの斜視図である。
【図２】実施形態１のくず入れの分解斜視図である。
【図３】実施形態１のくず入れ本体にくず入れ袋を装着する状態を示す説明図である。
【図４】実施形態１のくず入れ袋を装着したくず入れ本体に、蓋体を挿着する状態を示す説明図である。
【図５】実施形態１のくず入れを吊り下げて使用する状態を示す説明図である。
【図６】実施形態２のくず入れの斜視図である。
【図７】実施形態２のくず入れの分解斜視図である。
【図８】実施形態３のくず入れの斜視図である。
【図９】実施形態３のくず入れの分解斜視図である。
【図１０】実施形態４のくず入れの斜視図である。
【図１１】実施形態４のくず入れの分解斜視図である。
【図１２】実施形態４のくず入れの使用例を示す斜視図である。
【発明を実施するための形態】
【０００８】
以下、本発明の実施形態を示す図１〜１０を参照しながら本発明を詳しく説明する。
尚、本発明は、かかる図に記載された具体例に示すものに限られず、目的、用途に応じて種々変更したものとすることができる。
【０００９】
［実施形態１］
実施形態１に係るくず入れ１は、本発明を具体化している。
くず入れ１は、図１に示すように、くず入れ本体１０と、くず入れ本体１０上部に覆設される蓋体２０と、からなる。
くず入れ本体１０は、図２に示すように、くず入れ袋を拡開して収納可能に上方が開口し、円筒状の周壁１５と下方に形成された底壁１８とからなる。
周壁１５の上部には、略水平方向に突出した取っ手１７が形成されている。取っ手１７は折り曲げた棒形状からなり、周壁から内側斜め外方向に突出した一対の連結部１７aと連結部１７aの先端同士を繋ぐ把持部１７ｂとからなる。このように構成することで、蓋体２０に挿着しやすく、更に持ち運びがしやすくなる。
すなわち、連結部１７aは、外方に向かって狭まるように形成されているため、後述の蓋体２０の孔部２７に挿入しやすく形成されている。
【００１０】
くず入れ本体１０、取っ手１７の材質は特に限定はなく、合成樹脂製、木製、金属製であってもよく、これらの組み合わせであってもよい。これらの中でも、合成樹脂製であることが好ましい。合成樹脂であれば、射出成型等により一体に形成することができる。
取っ手１７は、くず入れ本体１０とは別体に形成して固着接続してもよいが、くず入れ本体と一体に形成してもよい。
硬質の合成樹脂としては、例えば、ポリプロピレン、ポリエチレンテレフタレート、ポリアミド、ポリイミド、ＡＢＳ樹脂、及びアクリル樹脂等が挙げられる。
なお、「くず入れ本体」の形状は、くず入れ袋を収容可能であれば特に限定はなく、楕円筒状、角筒状等であってもよい。
【００１１】
蓋体２０は、中央が開口した上板２１と、くず入れ本体１０に挿着される円筒状の側板２５とからなり、側板２５は取っ手１７が突出可能な孔部２７を有している。上板２１は、中央が円形に開口して、くずの投入を可能としている。なお、くずの投入が可能であれば、その開口部の大きさ、形状は特に限定はない。
蓋体２０は、くず入れ本体１０の上部に覆設される。その際、くず入れ本体１０の取っ手１７が、蓋体２０の孔部２０ａから突出される。
そして、くず入れ本体１０の上端周縁１０ａに上板２１の下面が当接し、側板２５の内周面とくず入れ本体１０の外周面とでくず入れ袋９０の折り返し部９１を挟持して、蓋体２０がくず入れ本体１０に覆設される。
孔部２７は、取っ手１７が突出可能な形状であれば特に限定はないが、取っ手１７を孔部２７に挿入して、くず入れ本体１０に蓋体２０を覆設するには、取っ手１７が孔部２７に対して、遊挿可能であることが好ましい。
【００１２】
蓋体２０の材質は特に限定はなく、合成樹脂製、木製、金属製であってもよく、これらの組み合わせであってもよい。
これらの中でも、合成樹脂製であることが好ましい。合成樹脂であれば、射出成型等により一体に形成することができる。
軟質の合成樹脂としては、例えば、ポリプロピレン、ポリエチレンテレフタレート、ポリアミド、ポリイミド、ＡＢＳ樹脂、及びアクリル樹脂等が挙げられる。
なお、「蓋体」の形状は、くず入れ本体に覆設できれば特に限定はない。
【００１３】
（動作）
図３に示すように、くず入れ本体１０に、くず入れ袋９０を拡開して収容し、くず入れ本体１０の外周面に折り返す。折り返したくず入れ袋９０の折り返し部９１の係止部９２を取っ手１７に掛け止めする。係止部９２は、取っ手１７に掛け止め可能であればその形状は問わないが、通常は袋の上部に備え、袋の持ち手となる孔部である。
次いで、図４に示すように、蓋体２０を持ち、取っ手１７が孔部２７から突出するようにする。そして、折り返し部９１が周壁１５上部の外周面と側板２５の内周面とで挟持するようにして、蓋体２０をくず入れ本体１０に覆設する。
こうすることで、くず入れ袋９０は、くず入れ１の上板２１及び、側板２５に隠れて外部から見えない状態となり、くず入れの外観が損なわれることがない。
そして、片手でくず入れ１の取っ手１７を把持して、持ち運ぶことができ便利である。この場合、蓋体２０を把持する必要がないことに加え、取っ手１７が孔部２７から突出しているため、持ち運びに際して、蓋体２０が脱落することがない。
また、例えば、図５に示すように、机１００に取着したフック１１０にくず入れ１を吊り下げて使用することもできる。
【００１４】
［実施形態２］
実施形態２に係るくず入れ２も、本発明を具体化している。
くず入れ２は、図６に示すように、くず入れ本体３０と、くず入れ本体３０上部に覆設される蓋体４０と、からなる。
くず入れ本体３０は、図７に示すように、くず入れ袋を収容可能に上方が開口し、角筒状の周壁３５と下方に形成された底壁３８とからなる。
周壁３５は、対向する一対の長方形状の板３５a、３５aと対向する一対の長方形状の板３５ｂ、３５ｂから形成され、長方形状の板３５aは、長方形状の板３５ｂより水平方向に長尺に形成されている。
周壁３５の上部には、略水平方向に突出した取っ手３７が形成されている。取っ手３７は、実施形態１の取っ手１７と同様の形状であり、その構成、作用効果は前述の通りである。
【００１５】
くず入れ本体３０、取っ手３７の材質についても、実施形態１のくず入れ本体１０、取っ手１７と同様であり、その構成、作用効果は前述の通りである。
【００１６】
蓋体４０は、中央が開口した上板４１と、くず入れ本体３０に挿着される角筒状の側板４５とからなる。
側板４５は、対向する一対の長方形状の板４５a、４５aと対向する一対の長方形状の板４５ｂ、４５ｂから形成され、長方形状の板４５aは、長方形状の板４５ｂより水平方向に長尺に形成されている。
側板４５は取っ手３７が突出可能な孔部４７を有している。上板４１は、中央が長方形状に開口して、くずの投入を可能としている。なお、くずの投入が可能であれば、その開口部の大きさ、形状は特に限定はない。
蓋体４０は、くず入れ本体３０の上部に覆設される。その際、くず入れ本体３０の取っ手３７が、蓋体４０の孔部４７から突出される。
【００１７】
蓋体４０の材質についても、実施形態１のくず入れの蓋体２０と同様であり、その構成、作用効果は前述の通りである。
【００１８】
くず入れ本体３０へのくず入れ袋の取り付け、蓋体４０で覆設する構成、作用効果については、実施形態１におけるくず入れ本体１０、蓋体２０及びくず入れ袋９０との作用効果と同様であり、前述の通りである。
【００１９】
［実施形態３］
実施形態３に係るくず入れ３も本発明を具体化している。
くず入れ３は、図８に示すように、くず入れ本体５０と、くず入れ本体５０上部に覆設される蓋体６０と、からなる。
くず入れ本体５０は、図９に示すように、くず入れ袋を拡開して収納可能に上方が開口し、円筒状の周壁５５と下方に形成された底壁５８とからなる。
周壁５５の上端周縁５０aには、上方向に突出した1対の取っ手５７が形成されている。取っ手５７は、実施形態１の取っ手１７の形状と同様であり、その構成、作用効果については前述の通りである。
【００２０】
くず入れ本体５０、取っ手５７の材質についても、実施形態１のくず入れ本体１０、取っ手１７と同様であり、その構成、作用効果は前述の通りである。
【００２１】
蓋体６０は、中央が開口した上板６１と、くず入れ本体５０に挿着される円筒状の側板６５とからなり、側板６５は取っ手５７が突出可能な孔部６７を有している。
上板６１は、中央が円形に開口して、くずの投入を可能としている。なお、くずの投入が可能であれば、その開口部の大きさ、形状は特に限定はない。
蓋体６０は、くず入れ本体５０の上部に覆設される。その際、くず入れ本体５０の取っ手５７、５７が、蓋体６０の孔部６７、６７から突出される。
そして、くず入れ本体５０の上端周縁５０ａに上板６１の下面が当接し、側板６５の内周面とくず入れ本体５０の外周面とでくず入れ袋の折り返し部９１を挟持して、蓋体６０がくず入れ本体５０に覆設される。
孔部６７、６７は、取っ手５７、５７が突出可能な形状であれば特に限定はないが、取っ手５７、５７を孔部６７、６７に挿入して、くず入れ本体５０に蓋体２０を覆設するには、取っ手５７、５７が、孔部６７、６７に対して、遊挿可能であることが好ましい。
【００２２】
くず入れ３を使用する方法は、実施形態１のくず入れ１と同様に、くず入れ本体５０に、くず入れ袋９０を拡開して収容し、くず入れ本体５０の外周面に折り返す。折り返したくず入れ袋９０の係止部９１、９１を取っ手５７、５７に掛け止めする。
次いで、蓋体６０を持ち、取っ手５７、５７が孔部６７、６７から突出するようにして、くず入れ本体５０に覆設する。
【００２３】
［実施形態４］
実施形態４に係るくず入れ４も本発明を具体化している。
くず入れ４は、図１０に示すように、くず入れ本体７０と、くず入れ本体７０上部に覆設される蓋体８０と、からなる。
くず入れ本体７０は、図１１に示すように、くず入れ袋を収容可能に上方が開口し、三角筒状の周壁７５と下方に形成された底壁７８とからなる。
周壁７５は、三枚の長方形状の板７５ａ、７５ａ、７５ａから形成されている。
周壁７５の上部には、水平方向に突出した取っ手７７が形成されている。取っ手７７は、実施形態１の取っ手１７と同様の形状であり、その構成、作用効果は前述の通りである。
【００２４】
くず入れ本体７０、取っ手７７の材質についても、実施形態１のくず入れ本体１０、取っ手１７と同様であり、その構成、作用効果は前述の通りである。
【００２５】
蓋体８０は、中央が開口した上板８１と、くず入れ本体７０に挿着される三角筒状の側板８５から形成されている。
側板８５は、三枚の長方形状の板８５a、８５a、８５ａから形成されている。
側板８５は取っ手７７が突出可能な孔部８７を有している。上板８１は、中央が三角形状に開口して、くずの投入を可能としている。なお、くずの投入が可能であれば、その開口部の大きさ、形状は特に限定はない。
蓋体８０は、くず入れ本体７０の上部に覆設される。その際、くず入れ本体７０の取っ手７７が、蓋体８０の孔部８７から突出される。
【００２６】
蓋体８０の材質についても、実施形態１のくず入れの蓋体２０と同様であり、その構成、作用効果は前述の通りである。
【００２７】
くず入れ本体７０へのくず入れ袋の取り付け、蓋体８０で覆設する構成、作用効果については、実施形態１におけるくず入れ本体１０、蓋体２０及びくず入れ袋９０との作用効果と同様であり、前述の通りである。
【００２８】
くず入れ４は、図１２に示すように、平面視三角形状のくず入れを組み合わせることで狭い空間を利用して、くずの分別収集をすることができる。
【符号の説明】
【００２９】
１、２、３、４；くず入れ、１０、３０、５０、７０；くず入れ本体、１０ａ、５０ａ；上端縁部、１５、３５、５５、７５；周壁、１７、３７、５７、７７；取っ手、２０、４０、６０、８０；蓋体、１８、３８、５８、７８；底壁、２１、４１、６１、８１；上板、２５、４５、６５、８５；側板、２７、４７、６７、８７；孔部、９０；くず入れ袋、９１；折り返し部、９２；係止部
【図１】
2020203769.tif 000003
【図２】
2020203769.tif 000004
【図３】
2020203769.tif 000005
【図４】
2020203769.tif 000006
【図５】
2020203769.tif 000007
【図６】
2020203769.tif 000008
【図７】
2020203769.tif 000009
【図８】
2020203769.tif 000010
【図９】
2020203769.tif 000011
【図１０】
2020203769.tif 000012
【図１１】
2020203769.tif 000013
【図１２】
2020203769.tif 000014